(57)【特許請求の範囲】
【請求項１】
画像を形成する画像形成部と、
情報を表示する表示画面を含み、ユーザーからの入力を受け付ける操作部と、
第一のパスワードを第一のパスワード入力画面と紐付けて登録し、前記第一のパスワードと異なる第二のパスワードを第二のパスワード入力画面に紐付けて登録するようパスワードの登録を受け付けるパスワード登録受け付け部と、
前記表示画面に、前記第一のパスワード入力画面または前記第二のパスワード入力画面を表示するよう制御する表示制御部と、
所定の条件に応じて、前記第一のパスワード入力画面の表示と前記第二のパスワード入力画面の表示とを切り替えるよう制御するパスワード入力画面切り替え制御部と、
前記表示制御部により前記第一のパスワード入力画面が表示された際に前記操作部を介して入力されたパスワードと前記パスワード登録受け付け部により登録された第一のパスワードとが一致するか否かを判断し、前記表示制御部により前記第二のパスワード入力画面が表示された際に前記操作部を介して入力されたパスワードと前記パスワード登録受け付け部により登録された第二のパスワードとが一致するか否かを判断する判断部と、
前記判断部によりパスワードが一致すると判断されれば、前記画像形成部による画像形成に関するユーザーからの要求の受け付けを許可する受け付け許可部と、
前回の前記受け付け許可部による受け付けの許可が、前記第一のパスワードの一致によるものか、または前記第二のパスワードの一致によるものかを記憶する記憶部とを備え、
前記表示制御部は、前記記憶部に、前記受け付けの許可が前記第二のパスワードの一致によるものと記憶されていれば、次に前記第一のパスワード入力画面を表示するよう制御し、
前記表示制御部は、前記記憶部に、前記受け付けの許可が前記第二のパスワードの一致によるものと記憶されていれば、所定の期間が経過するまで前記第二のパスワード入力画面の表示を禁止する、画像形成装置。
【請求項２】
画像を形成する画像形成部と、
情報を表示する表示画面を含み、ユーザーからの入力を受け付ける操作部と、
第一のパスワードを第一のパスワード入力画面と紐付けて登録し、前記第一のパスワードと異なる第二のパスワードを第二のパスワード入力画面に紐付けて登録するようパスワードの登録を受け付けるパスワード登録受け付け部と、
前記表示画面に、前記第一のパスワード入力画面または前記第二のパスワード入力画面を表示するよう制御する表示制御部と、
所定の条件に応じて、前記第一のパスワード入力画面の表示と前記第二のパスワード入力画面の表示とを切り替えるよう制御するパスワード入力画面切り替え制御部と、
前記表示制御部により前記第一のパスワード入力画面が表示された際に前記操作部を介して入力されたパスワードと前記パスワード登録受け付け部により登録された第一のパスワードとが一致するか否かを判断し、前記表示制御部により前記第二のパスワード入力画面が表示された際に前記操作部を介して入力されたパスワードと前記パスワード登録受け付け部により登録された第二のパスワードとが一致するか否かを判断する判断部と、
前記判断部によりパスワードが一致すると判断されれば、前記画像形成部による画像形成に関するユーザーからの要求の受け付けを許可する受け付け許可部とを備え、
前記所定の条件は、前記画像形成部による画像形成の要求を複数受け付けた条件である、画像形成装置。
【請求項３】
前記パスワード入力画面切り替え制御部は、前記操作部への入力における予め定められたジェスチャーを検知すれば、前記第一のパスワード入力画面の表示と前記第二のパスワード入力画面の表示とを切り替えるよう制御する、請求項１または２に記載の画像形成装置。
【請求項４】
前記操作部は、押下により、前記第一のパスワード入力画面の表示と前記第二のパスワード入力画面の表示とを切り替えるパスワード入力画面切り替えキーを含み、
前記パスワード入力画面切り替え制御部は、前記パスワード入力画面切り替えキーの押下を検知すれば、前記第一のパスワード入力画面の表示と前記第二のパスワード入力画面の表示とを切り替えるよう制御する、請求項１〜３のいずれか１項に記載の画像形成装置。
【請求項５】
前記表示制御部は、前記記憶部に、前記受け付けの許可が前記第二のパスワードの一致によるものと記憶されていれば、前記第一のパスワード入力画面が表示された際に前記操作部により入力されたパスワードと前記パスワード登録受け付け部により登録された第一のパスワードとが一致するまで前記第二のパスワード入力画面の表示を禁止する、請求項１に記載の画像形成装置。
【請求項６】
前記表示制御部は、前記第一のパスワード入力画面の表示と前記第二のパスワード入力画面の表示とを同じにして表示する、請求項１〜５のいずれか１項に記載の画像形成装置。
【請求項７】
情報を処理する情報処理部と、
情報を表示する表示画面を含み、ユーザーからの入力を受け付ける操作部と、
第一のパスワードを第一のパスワード入力画面と紐付けて登録し、前記第一のパスワードと異なる第二のパスワードを第二のパスワード入力画面に紐付けて登録するようパスワードの登録を受け付けるパスワード登録受け付け部と、
前記表示画面に、前記第一のパスワード入力画面または前記第二のパスワード入力画面を表示するよう制御する表示制御部と、
所定の条件に応じて、前記第一のパスワード入力画面の表示と前記第二のパスワード入力画面の表示とを切り替えるよう制御するパスワード入力画面切り替え制御部と、
前記表示制御部により前記第一のパスワード入力画面が表示された際に前記操作部を介して入力されたパスワードと前記パスワード登録受け付け部により登録された第一のパスワードとが一致するか否かを判断し、前記表示制御部により前記第二のパスワード入力画面が表示された際に前記操作部を介して入力されたパスワードと前記パスワード登録受け付け部により登録された第二のパスワードとが一致するか否かを判断する判断部と、
前記判断部によりパスワードが一致すると判断されれば、前記情報処理部による情報処理に関するユーザーからの要求の受け付けを許可する受け付け許可部と、
前回の前記受け付け許可部による受け付けの許可が、前記第一のパスワードの一致によるものか、または前記第二のパスワードの一致によるものかを記憶する記憶部とを備え、
前記表示制御部は、前記記憶部に、前記受け付けの許可が前記第二のパスワードの一致によるものと記憶されていれば、次に前記第一のパスワード入力画面を表示するよう制御し、
前記表示制御部は、前記記憶部に、前記受け付けの許可が前記第二のパスワードの一致によるものと記憶されていれば、所定の期間が経過するまで前記第二のパスワード入力画面の表示を禁止する、情報処理装置。
【請求項８】
情報を処理する情報処理部と、
情報を表示する表示画面を含み、ユーザーからの入力を受け付ける操作部と、
第一のパスワードを第一のパスワード入力画面と紐付けて登録し、前記第一のパスワードと異なる第二のパスワードを第二のパスワード入力画面に紐付けて登録するようパスワードの登録を受け付けるパスワード登録受け付け部と、
前記表示画面に、前記第一のパスワード入力画面または前記第二のパスワード入力画面を表示するよう制御する表示制御部と、
所定の条件に応じて、前記第一のパスワード入力画面の表示と前記第二のパスワード入力画面の表示とを切り替えるよう制御するパスワード入力画面切り替え制御部と、
前記表示制御部により前記第一のパスワード入力画面が表示された際に前記操作部を介して入力されたパスワードと前記パスワード登録受け付け部により登録された第一のパスワードとが一致するか否かを判断し、前記表示制御部により前記第二のパスワード入力画面が表示された際に前記操作部を介して入力されたパスワードと前記パスワード登録受け付け部により登録された第二のパスワードとが一致するか否かを判断する判断部と、
前記判断部によりパスワードが一致すると判断されれば、前記情報処理部による情報処理に関するユーザーからの要求の受け付けを許可する受け付け許可部とを備え、
前記所定の条件は、前記情報処理部による情報処理の要求を複数受け付けた条件である、情報処理装置。
【発明の詳細な説明】
【技術分野】
【０００１】
この発明は、画像形成装置、および情報処理装置に関するものである。
【背景技術】
【０００２】
複合機に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に排出する。
【０００３】
ここで、画像形成装置や情報を処理する情報処理装置においては、特定の機能の使用について、ログイン認証を行い、特定のユーザーにのみ許可するものがある。ユーザーの特定に際し、ユーザーにパスワードを入力させ、入力されたパスワードが登録されたパスワードと一致するか否かを識別して認証を行う識別機構を有するものがある。ユーザーを識別する情報処理装置に関する技術が、特開２０１５−１１４８５３号公報（特許文献１）に開示されている。
【０００４】
特許文献１によると、情報処理装置は、ユーザーを識別する情報と、パスワードを複数回受け付けるか否かを示す情報とを含むユーザー情報を記憶する。情報処理装置は、受け付け手段と、判定手段と、通知手段を備えることを特徴としている。受け付け手段は、ユーザーからユーザー識別情報とパスワードとの入力を受け付ける。判定手段は、受け付け手段により受け付けたユーザー識別情報と、記憶されたユーザー情報とに基づき、パスワードの入力を複数回受け付けるか否かを判定する。通知手段は、判定手段により複数回受け付けると判定される場合、受け付け手段によりパスワードの入力を受け付けた際に、当該パスワードが正しいか否かにかかわらずログイン失敗した旨を通知する。
【先行技術文献】
【特許文献】
【０００５】
【特許文献１】特開２０１５−１１４８５３号公報
【発明の概要】
【発明が解決しようとする課題】
【０００６】
特許文献１に開示の技術では、パスワードの入力回数によってログインさせるか否かを判断することとしている。しかし、このような構成では、入力回数を悪意の第三者に知られてしまうと、悪意の第三者にログインされてしまうおそれがある。すなわち、このようなログインの可否の判断では、セキュリティの観点から不十分である。
【０００７】
この発明の目的は、ユーザーの認証時におけるセキュリティを向上させた画像形成装置を提供することである。
【０００８】
この発明の他の目的は、ユーザーの認証時におけるセキュリティを向上させた情報処理装置を提供することである。
【課題を解決するための手段】
【０００９】
この発明の一の局面においては、画像形成装置は、画像形成部と、操作部と、パスワード登録受け付け部と、表示制御部と、パスワード入力画面切り替え制御部と、判断部と、受け付け許可部と、記憶部とを備える。画像形成部は、画像を形成する。操作部は、情報を表示する表示画面を含む。操作部は、ユーザーからの入力を受け付ける。パスワード登録受け付け部は、第一のパスワードを第一のパスワード入力画面と紐付けて登録し、第一のパスワードと異なる第二のパスワードを第二のパスワード入力画面に紐付けて登録するようパスワードの登録を受け付ける。表示制御部は、表示画面に、第一のパスワード入力画面または第二のパスワード入力画面を表示するよう制御する。パスワード入力画面切り替え制御部は、所定の条件に応じて、第一のパスワード入力画面の表示と第二のパスワード入力画面の表示とを切り替えるよう制御する。判断部は、表示制御部により第一のパスワード入力画面が表示された際に操作部を介して入力されたパスワードとパスワード登録受け付け部により登録された第一のパスワードとが一致するか否かを判断する。判断部は、表示制御部により第二のパスワード入力画面が表示された際に操作部を介して入力されたパスワードとパスワード登録受け付け部により登録された第二のパスワードとが一致するか否かを判断する。受け付け許可部は、判断部によりパスワードが一致すると判断されれば、画像形成部による画像形成に関するユーザーからの要求の受け付けを許可する。記憶部は、前回の受け付け許可部による受け付けの許可が、第一のパスワードの一致によるものか、または第二のパスワードの一致によるものかを記憶する。表示制御部は、記憶部に、受け付けの許可が第二のパスワードの一致によるものと記憶されていれば、次に第一のパスワード入力画面を表示するよう制御する。表示制御部は、記憶部に、受け付けの許可が第二のパスワードの一致によるものと記憶されていれば、所定の期間が経過するまで第二のパスワード入力画面の表示を禁止する。
【００１０】
この発明の他の局面においては、情報処理装置は、情報処理部と、操作部と、パスワード登録受け付け部と、表示制御部と、パスワード入力画面切り替え制御部と、判断部と、受け付け許可部と、記憶部とを備える。情報処理部は、情報を処理する。操作部は、情報を表示する表示画面を含む。操作部は、ユーザーからの入力を受け付ける。パスワード登録受け付け部は、第一のパスワードを第一のパスワード入力画面と紐付けて登録し、第一のパスワードと異なる第二のパスワードを第二のパスワード入力画面に紐付けて登録するようパスワードの登録を受け付ける。表示制御部は、表示画面に、第一のパスワード入力画面または第二のパスワード入力画面を表示するよう制御する。パスワード入力画面切り替え制御部は、所定の条件に応じて、第一のパスワード入力画面の表示と第二のパスワード入力画面の表示とを切り替えるよう制御する。判断部は、表示制御部により第一のパスワード入力画面が表示された際に操作部を介して入力されたパスワードとパスワード登録受け付け部により登録された第一のパスワードとが一致するか否かを判断する。判断部は、表示制御部により第二のパスワード入力画面が表示された際に操作部を介して入力されたパスワードとパスワード登録受け付け部により登録された第二のパスワードとが一致するか否かを判断する。受け付け許可部は、判断部によりパスワードが一致すると判断されれば、情報処理部による情報処理に関するユーザーからの要求の受け付けを許可する。記憶部は、前回の受け付け許可部による受け付けの許可が、第一のパスワードの一致によるものか、または第二のパスワードの一致によるものかを記憶する。表示制御部は、記憶部に、受け付けの許可が第二のパスワードの一致によるものと記憶されていれば、次に第一のパスワード入力画面を表示するよう制御する。表示制御部は、記憶部に、受け付けの許可が第二のパスワードの一致によるものと記憶されていれば、所定の期間が経過するまで第二のパスワード入力画面の表示を禁止する。
【発明の効果】
【００１１】
このような画像形成装置によると、表示制御部により表示される第一のパスワード入力画面と第二のパスワード入力画面とを、パスワード入力画面切り替え制御部により切り替える。そして、それぞれのパスワード入力画面に応じてパスワードが一致するか否かを判断し、一致すればログイン認証が成功したものとして、要求の受け付けを許可する。そうすると、例えば、第二のパスワード入力画面を表示して第二のパスワードを入力する際に、画像形成装置の近辺に滞在する悪意の第三者に第二のパスワードが盗み見られたとしても、第一のパスワード入力画面においては、第二のパスワードの入力によりパスワードが一致することはない。したがって、ユーザーの認証時におけるセキュリティの向上を図ることができる。
【００１２】
このような情報処理装置によると、ユーザーの認証時におけるセキュリティの向上を図ることができる。
【図面の簡単な説明】
【００１３】
【図１】この発明の一実施形態に係る画像形成装置を複合機に適用した場合の複合機を示す図である。
【図２】図１に示す複合機の構成を示すブロック図である。
【図３】操作部の構成を示す図である。
【図４】制御部の構成を示すブロック図である。
【図５】第一のパスワードを登録する際に表示される第一のパスワード登録画面の一例を示す図である。
【図６】第一のパスワードを登録する際の代表的な処理の流れを示すフローチャートである。
【図７】第二のパスワードを登録する際に表示される第二のパスワード登録画面の一例を示す図である。
【図８】パスワード入力画面の一例を示す図である。
【図９】複合機に印刷要求を行った場合の処理の流れを示すフローチャートである。
【図１０】ユーザーが複合機に赴いてコピーを行う場合の処理の流れを示すフローチャートである。
【発明を実施するための形態】
【００１４】
以下、この発明の実施の形態を説明する。図１は、この発明の一実施形態に係る画像形成装置を複合機に適用した場合の複合機の外観を示す概略図である。図２は、図１に示す複合機の構成を示すブロック図である。
【００１５】
図１および図２を参照して、複合機１１は、画像処理に関し、複写機能、プリンター機能、ファクシミリ機能等、複数の機能を有する。複合機１１は、制御部１２と、操作部１３と、画像読み取り部１４と、画像形成部１５と、ハードディスク１６と、ネットワーク２５と接続するためのネットワークインターフェース部１７とを備える。
【００１６】
制御部１２は、複合機１１全体の制御を行う。操作部１３は、複合機１１側から発信する情報やユーザーの入力内容を表示する表示画面１８を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）１９を含む。画像読み取り部１４は、ＡＤＦ１９または不図示の載置台上にセットされた原稿の画像を読み取る。画像形成部１５は、画像読み取り部１４により読み取られた原稿の画像データやネットワーク２５を介して送信された画像データを基に、給紙カセット２１ａ、２１ｂ、２１ｃや手差しトレイ２２から搬送されてきた用紙に画像を形成する。画像形成部１５により画像を形成された用紙は、排出部２３に排出される。ハードディスク１６は、送信された画像データや入力された画像形成条件等の格納を行う。
【００１７】
複合機１１は、ネットワーク２５を介して複数のコンピューター２６ａ、２６ｂ、２６ｃと接続されている。この実施形態においては、複数のコンピューター２６ａ〜２６ｃについては、３台示している。各コンピューター２６ａ〜２６ｃはそれぞれ、複合機１１に対して、ネットワーク２５を介して印刷要求を行って印刷をすることができる。
【００１８】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号をユーザーに入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面１８とを含む。表示画面１８は、液晶のタッチパネル機能を有しており、ユーザーの指での押圧等により、表示画面１８からも画像形成条件等を入力させると共に、機能の選択等を行うことができる。
【００１９】
次に、制御部１２の構成について説明する。図４は、制御部１２の構成を示すブロック図である。図４を参照して、制御部１２は、パスワード登録受け付け部４１と、表示制御部４２と、パスワード入力画面切り替え制御部４３と、判断部４４と、受け付け許可部４５とを備える。パスワード登録受け付け部４１は、第一のパスワードを第一のパスワード入力画面と紐付けて登録するようパスワードの登録を受け付ける。パスワード登録受け付け部４１は、第一のパスワードと異なる第二のパスワードを第二のパスワード入力画面に紐付けて登録するようパスワードの登録を受け付ける。表示制御部４２は、表示画面１８に、第一のパスワード入力画面または第二のパスワード入力画面を表示するよう制御する。パスワード入力画面切り替え制御部４３は、所定の条件に応じて、第一のパスワード入力画面の表示と第二のパスワード入力画面の表示とを切り替えるよう制御する。判断部４４は、表示制御部４２により第一のパスワード入力画面が表示された際に操作部１３を介して入力されたパスワードとパスワード登録受け付け部４１により登録された第一のパスワードとが一致するか否かを判断する。判断部４４は、表示制御部４２により第二のパスワード入力画面が表示された際に操作部１３を介して入力されたパスワードとパスワード登録受け付け部４１により登録された第二のパスワードとが一致するか否かを判断する。受け付け許可部４５は、判断部４４によりパスワードが一致すると判断されれば、画像形成部１５による画像形成に関するユーザーからの要求の受け付けを許可する。
【００２０】
ここで、まず、第一のパスワードの登録について説明する。図５は、第一のパスワードを登録する際に表示される第一のパスワード登録画面の一例を示す図である。
【００２１】
図５を参照して、表示画面１８には、パスワード登録受け付け部４１によるパスワードの登録を受け付ける第一のパスワード登録画面５１が表示制御部４２により表示される。第一のパスワード登録画面５１には、「パスワード登録画面」の表記５２と、登録する第一のパスワードを入力させるパスワード入力部５３と、登録する第一のパスワードを再入力させるパスワード再入力部５４と、「ＯＫ」と表記されており、押下により入力を確定させる選択キー５５とが示されている。ユーザーは、この第一のパスワード登録画面５１から、第一のパスワードを登録する。
【００２２】
図６は、第一のパスワードを登録する際の代表的な処理の流れを示すフローチャートである。図５および図６を参照して、表示制御部４２は、操作部１３を介して入力されるユーザーの要求により、上記した第一のパスワード登録画面５１を表示画面１８に表示する（図６において、ステップＳ１１、以下、「ステップ」を省略する）。その後、ユーザーは、第一のパスワード入力画面に対応する登録する第一のパスワードを、パスワード入力部５３に入力する。そしてユーザーは確認用に、入力した第一のパスワードを、再度パスワード再入力部５４に入力する。その後、ユーザーは、選択キー５５を押下して、入力を確定させる。選択キー５５の押下を検知すると、パスワード登録受け付け部４１は、第一のパスワードの入力および第一のパスワードの再入力を受け付ける（Ｓ１２）。そして、入力された第一のパスワードと、再入力された第一のパスワードとが一致するか否かを判断する（Ｓ１３）。入力された第一のパスワードが再入力された第一のパスワードと一致すると判断されれば（Ｓ１３において、ＹＥＳ）、パスワード登録受け付け部４１は、入力された第一のパスワードを登録する（Ｓ１４）。この場合、パスワード登録受け付け部４１は、第一のパスワード入力画面に紐付けて、入力された第一のパスワードのデータをハードディスク１６に記憶する。
【００２３】
一方、入力された第一のパスワードが再入力された第一のパスワードと一致しないと判断されれば（Ｓ１３において、ＮＯ）、第一のパスワードが一致しない旨、具体的には、例えば、「パスワードが一致しません。」の表記、および第一のパスワードの再入力を促す旨、具体的には、例えば、「再度、パスワードを登録してください。」との表記を表示制御部４２により示す（Ｓ１５）。そして、再び第一のパスワードの入力を受け付ける（Ｓ１２）。このようにして、パスワード登録受け付け部４１による第一のパスワードの登録を行う。ここでは、第一のパスワードとして、数値の「１２３４」が登録されたとする。
【００２４】
なお、第二のパスワード入力画面に対応する第二のパスワードの登録についても、同様に行う。図７は、第二のパスワードを登録する際に表示される第二のパスワード登録画面の一例を示す図である。なお、この第二のパスワード登録画面は、操作部１３を介したユーザーからの要求に応じて、図５に示す第一のパスワード登録画面５１からの移行により表示制御部４２によって表示される。
【００２５】
図７を参照して、第二のパスワード登録画面５６には、「パスワード登録画面（第二）」との表記５７と、登録する第二のパスワードを入力させるパスワード入力部５８と、登録する第二のパスワードを再入力させるパスワード再入力部５９と、「ＯＫ」と表記されており、押下により入力を確定させる選択キー６０とが示されている。この場合、ユーザーは、表記５７により、第二のパスワード登録画面５６が表示されていることを容易に視認することができる。
【００２６】
そして、第一のパスワードの登録と同様に、図６に示す流れに沿って、第二のパスワードを登録する。この場合、登録される第二のパスワードは、第一のパスワードと異なるものとする。すなわち、パスワード登録受け付け部４１は、第一のパスワードと同じパスワードが登録されようとすれば、却下する。このようにして、第二のパスワードが登録される。ここでは、第二のパスワードとして、数値の「５６７８」が登録されたとする。
【００２７】
次に、ユーザーに入力されたパスワードの認証を行うログイン画面となるパスワード入力画面について説明する。図８は、パスワード入力画面の一例を示す図である。図８を参照して、パスワード入力画面６１には、ログイン画面であることを報知する「ログイン画面」との表記６２と、パスワードを入力させるパスワード入力部６３と、「クリア」と表示されており、押下により入力したパスワードをクリアする選択キー６４と、「ＯＫ」と表示されており、押下により入力したパスワードの確認を実行させる選択キー６５とが表示制御部４２により表示画面１８に示されている。ユーザーは、このパスワード入力画面６１において、テンキー３１等を用いてパスワードの入力を行う。
【００２８】
なお、このパスワード入力画面６１については、第一のパスワード入力画面と、第二のパスワード入力画面とで、同じ画面となる。すなわち、表示されている項目や内容は、第一のパスワード入力画面と第二のパスワード入力画面とで全く同じであり、見た目には区別のつかないものである。
【００２９】
次に、ユーザーが複合機１１のプリンター機能を利用し、複合機１１に印刷要求を行った場合について説明する。図９は、複合機１１に印刷要求を行った場合の処理の流れを示すフローチャートである。
【００３０】
図１〜図９を参照して、ネットワーク２５に接続されたコンピューター２６ａ〜２６ｃのいずれかを用いて、ユーザーは、複合機１１に対し、画像データの送信と共に、印刷の要求、すなわち、画像形成の要求を行う。そうすると、制御部１２は、ネットワーク２５に接続されたコンピューター２６ａ〜２６ｃのいずれかからの印刷の要求を受け付ける（Ｓ２１）。
【００３１】
その後、制御部１２は、複合機１１において、印刷ジョブが複数蓄積されているか否かを判断する（Ｓ２２）。すなわち、印刷しようとするジョブが複数溜まっているか否かを判断する。複数の印刷ジョブが蓄積されていると判断されれば（Ｓ２２において、ＹＥＳ）、パスワード入力画面切り替え制御部４３は、第一のパスワード入力画面の表示と第二のパスワード入力画面の表示とを切り替えるよう制御する。具体的には、パスワード入力画面切り替え制御部４３は、第一のパスワード入力画面の表示から第二のパスワード入力画面の表示へ切り替えるよう制御する。この場合、所定の条件としては、画像形成部１５に対する画像形成の要求を複数受け付けた条件である。すなわち、表示制御部４２は、第二のパスワード入力画面を表示するよう制御する（Ｓ２３）。
【００３２】
この場合、第二のパスワード入力画面の表示と第一のパスワード入力画面の表示とが同じであるため、ユーザーは、第二のパスワード入力画面が表示されていることに気付かないこととなる。ここで、第二のパスワード入力画面が表示された後、ユーザーにより、まず、第一のパスワード「１２３４」がパスワード入力部６３に入力される。そうすると、制御部１２は、第一のパスワード「１２３４」の入力を受け付ける（Ｓ２４）。そして、判断部４４は、入力された第一のパスワード「１２３４」が、第二のパスワード入力画面において登録された第二のパスワード「５６７８」と一致するか否かを判断する（Ｓ２５）。
【００３３】
この場合、第二のパスワード入力画面において、第一のパスワード「１２３４」が入力されたため、パスワードが一致せず（Ｓ２５において、ＮＯ）、認証失敗となる。そうすると、認証が失敗した旨および再度のパスワードの入力を促す表示を行う（Ｓ２６）。
【００３４】
ここで、ユーザーは、第二のパスワード入力画面が表示されていることに気付き、登録を済ませた第二のパスワード「５６７８」をパスワード入力部６３に入力する。そうすると、制御部１２は、第二のパスワード「５６７８」の入力を受け付ける（Ｓ２４）。そして、判断部４４は、入力された第二のパスワード「５６７８」が、第二のパスワード入力画面において登録された第二のパスワード「５６７８」と一致するか否かを判断する（Ｓ２５）。
【００３５】
この場合、第二のパスワード入力画面において、第二のパスワード「５６７８」が入力されたため、パスワードが一致し（Ｓ２５において、ＹＥＳ）、認証成功となる。すなわち、受け付け許可部４５は、判断部４４によりパスワードが一致すると判断されれば、画像形成部１５による画像形成に関するユーザーからの要求の受け付けを許可する（Ｓ２７）。この場合、表示画面１８において、出力を要求する表示画面を表示する。その後、ユーザーによる入力に基づき、印刷を実行させる。ここで、認証の成功時において、ログインされたユーザーにのみ許可された設定、例えば、フルカラー印刷の設定をユーザーの要求に応じて行って出力する。
【００３６】
その後、受け付け許可部４５による受け付けの許可が、第一のパスワードの一致によるものか、または第二のパスワードの一致によるものかを記憶部としてのハードディスク１６に記憶させる（Ｓ２８）。この場合、第二のパスワードの一致によるものとして記憶させる。そして、処理を終了する。
【００３７】
一方、複数の印刷ジョブが複数蓄積されていないと判断されれば（Ｓ２２において、ＮＯ）、表示制御部４２は、第一のパスワード入力画面をそのまま表示画面１８に表示する（Ｓ２９）。その後、ユーザーは、第一のパスワード「１２３４」をパスワード入力部６３に入力する。この場合、認証が成功するので（Ｓ２５において、ＹＥＳ）、許可された印刷の設定を行って出力する。
【００３８】
このような複合機１１によると、表示制御部４２により表示される第一のパスワード入力画面と第二のパスワード入力画面とを、パスワード入力画面切り替え制御部４３により切り替える。そして、それぞれのパスワード入力画面に応じてパスワードが一致するか否かを判断し、一致すればログイン認証が成功したものとして、要求の受け付けを許可する。そうすると、例えば、第二のパスワード入力画面を表示して第二のパスワードを入力する際に、複合機１１の近辺に滞在する悪意の第三者に第二のパスワードが盗み見られたとしても、第一のパスワード入力画面においては、第二のパスワードの入力によりパスワードが一致することはない。したがって、ユーザーの認証時におけるセキュリティの向上を図ることができる。
【００３９】
この場合、第一のパスワード入力画面と第二のパスワード入力画面とが同じであるため、悪意の第三者がパスワード入力画面６１を見ても、その差が分からないこととなる。したがって、よりセキュリティのレベルを高めることができる。
【００４０】
また、この場合、他のユーザーが複合機１１の付近にいる可能性が高い複数の画像形成の要求を受け付けた条件で第二のパスワード入力画面に切り替えているため、より確実にセキュリティのレベルを高めることができる。
【００４１】
なお、上記の実施の形態においては、コンピューター２６ａ〜２６ｃから複合機１１に印刷要求を行った場合について説明したが、これに限らず、ユーザーが複合機１１に赴いて、コピーを行う場合についても適用される。
【００４２】
図１０は、ユーザーが複合機１１のコピー機能を利用し、複合機１１に赴いてコピーを行う場合の処理の流れを示すフローチャートである。図１０を参照して、ユーザーは、複合機１１が設置してある箇所へ赴く。そして、コピーを行うに際し、ユーザーの認証を行う。
【００４３】
ユーザーからのコピーの要求を受け付けた際に（Ｓ３１）、表示画面１８には、表示制御部４２により、最初に第一のパスワード入力画面が表示される（Ｓ３２）。ここで、ユーザーは、回りに人が多い場合には、第一のパスワード入力画面から第二のパスワード入力画面に切り替える。この場合、第一のパスワード入力画面から第二のパスワード入力画面に切り替える予め定められたジェスチャーを操作部１３に入力する。
【００４４】
そうすると、パスワード入力画面切り替え制御部４３は、パスワード入力画面の切り替えの要求があったことを検知し（Ｓ３３において、ＹＥＳ）、第二のパスワード入力画面に切り替える。すなわち、パスワード入力画面切り替え制御部４３は、予め定められたジェスチャーの操作部１３への入力を検知すれば、第一のパスワード入力画面の表示から第二のパスワード入力画面の表示へ切り替えるよう制御する。そして、表示制御部４２により、第二のパスワード入力画面を表示画面１８に表示する（Ｓ３４）。
【００４５】
その後、パスワードの入力を受け付け（Ｓ３５）、入力された第二のパスワードが一致すれば（Ｓ３６において、ＹＥＳ）、認証が成功となる。そして、画像形成部１５による画像形成に関するユーザーからの要求の受け付けを許可する（Ｓ３７）。この場合、許可されたコピーの設定を行ってコピーする。なお、Ｓ３３において、パスワード入力画面の切り替えの要求がなければ（Ｓ３３において、ＮＯ）、第一のパスワード入力画面をそのまま表示して、認証を行う。
【００４６】
このような構成によれば、ユーザーの要求に応じて、パスワード入力画面を切り替えることができる。したがって、よりユーザーのニーズに応じたセキュリティの確保を図ることができる。
【００４７】
なお、上記の実施の形態においては、パスワード入力画面切り替え制御部４３は、操作部１３への入力における予め定められたジェスチャーを検知すれば、第一のパスワード入力画面の表示と第二のパスワード入力画面の表示とを切り替えるよう制御することとしたが、これに限らず、例えば、第一のパスワード入力画面の表示と第二のパスワード入力画面の表示とを切り替える切り替えキーを設け、この切り替えキーの押下を検知すれば、第一のパスワード入力画面の表示と第二のパスワード入力画面の表示とを切り替えるよう制御することとしてもよい。また、所定のジェスチャーを入力すれば、タッチパネル上に切り替えキーを表示するよう制御してもよい。
【００４８】
また、上記の実施の形態において、表示制御部４２は、ハードディスク１６に、受け付けの許可が第二のパスワードの一致によるものと記憶されていれば、次に第一のパスワード入力画面を表示するよう制御してもよい。こうすることにより、第二のパスワードが盗み見られたとしても、第一のパスワード入力画面での第二のパスワードの入力は認証失敗となるため、よりセキュリティレベルを高めることができる。
【００４９】
さらに、表示制御部４２は、ハードディスク１６に、受け付けの許可が第二のパスワードの一致によるものと記憶されていれば、所定の期間が経過するまで第二のパスワード入力画面の表示を禁止するようにしてもよい。こうすることにより、第二のパスワードを盗み見た悪意の第三者が、第二のパスワード入力画面に切り替えて第二のパスワードを入力することができなくなる。したがって、さらにセキュリティレベルを高めることができる。この場合、第一および第二のパスワードを設定して登録したユーザーであれば、第一のパスワードで認証を成功させることができるため、問題はない。
【００５０】
さらに、表示制御部４２は、ハードディスク１６に、受け付けの許可が第二のパスワードの一致によるものと記憶されていれば、第一のパスワード入力画面が表示された際に操作部１３により入力されたパスワードとパスワード登録受け付け部４１により登録された第一のパスワードとが一致するまで第二のパスワード入力画面の表示を禁止するよう構成してもよい。こうすることにより、第二のパスワードしか知らない悪意の第三者の認証の成功を防止することができ、さらにセキュリティレベルを高めることができる。
【００５１】
なお、上記の実施の形態において、第一のパスワード入力画面の表示と、第二のパスワード入力画面の表示とを異ならせて表示させるようにしてもよい。こうすることにより、ユーザーが、いずれのパスワード入力画面の表示であるかを容易に認識することができ、よりユーザーの利便性を向上させることができる。具体的には、表示内容は変更せず、書体の文字のフォントや大きさ、表示の配置等を異ならせるようにするとよい。
【００５２】
また、上記の実施の形態においては、画像形成装置が上記した構成を備えることとしたが、これに限らず、情報を処理する情報処理装置が、上記した構成を備えることとしてもよい。すなわち、この発明の他の実施形態に係る情報処理装置は、情報を処理する情報処理部と、情報を表示する表示画面を含み、ユーザーからの入力を受け付ける操作部と、第一のパスワードを第一のパスワード入力画面と紐付けて登録し、第一のパスワードと異なる第二のパスワードを第二のパスワード入力画面に紐付けて登録するようパスワードの登録を受け付けるパスワード登録受け付け部と、表示画面に、第一のパスワード入力画面または第二のパスワード入力画面を表示するよう制御する表示制御部と、所定の条件に応じて、第一のパスワード入力画面の表示と第二のパスワード入力画面の表示とを切り替えるよう制御するパスワード入力画面切り替え制御部と、表示制御部により第一のパスワード入力画面が表示された際に操作部を介して入力されたパスワードとパスワード登録受け付け部により登録された第一のパスワードとが一致するか否かを判断し、表示制御部により第二のパスワード入力画面が表示された際に操作部を介して入力されたパスワードとパスワード登録受け付け部により登録された第二のパスワードとが一致するか否かを判断する判断部と、判断部によりパスワードが一致すると判断されれば、情報処理部による情報処理に関するユーザーからの要求の受け付けを許可する受け付け許可部とを備える構成とする。このように構成してもよい。
【００５３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５４】
この発明に係る画像形成装置、および情報処理装置は、ユーザーの認証時のセキュリティの向上が要求される場合に、特に有効に利用される。
【符号の説明】
【００５５】
１１  複合機、１２  制御部、１３  操作部、１４  画像読み取り部、１５  画像形成部、１６  ハードディスク、１７  ネットワークインターフェース部、１８  表示画面、１９  ＡＤＦ、２１ａ，２１ｂ，２１ｃ  給紙カセット、２２  手差しトレイ、２３  排出部、２５  ネットワーク、２６ａ，２６ｂ，２６ｃ  コンピューター、３１  テンキー、３２  スタートキー、３３  電源キー、３４  メニューキー、３５  登録キー、３６  リセットキー、４１  パスワード登録受け付け部、４２  表示制御部、４３  パスワード入力画面切り替え制御部、４４  判断部、４５  受け付け許可部、５１，５６  パスワード登録画面、５２，５７，６２  表記、５３，５８，６３  パスワード入力部、５４，５９  パスワード再入力部、５５，６０，６４，６５  選択キー、６１  パスワード入力画面。
【図１】
0006515869.tif 000002
【図２】
0006515869.tif 000003
【図３】
0006515869.tif 000004
【図４】
0006515869.tif 000005
【図５】
0006515869.tif 000006
【図６】
0006515869.tif 000007
【図７】
0006515869.tif 000008
【図８】
0006515869.tif 000009
【図９】
0006515869.tif 000010
【図１０】
0006515869.tif 000011